(57)【要約】【課題】壁際などに溜まった塵埃を効率良く吸引することができると共に、軽量化を図り操作性を向上させることができる床用吸込具を提供することを課題とする。【解決手段】吸込口３が下面から前面の少なくとも一部まで開口された吸込具本体ケース２と、吸込具本体ケース２内に回転自在に支持された回転ブラシ４と、吸込具本体ケース２の吸込口３の前側部分を閉塞するカバー６とを備え、カバー６は、吸込口３の前側部分を閉塞する下方回動位置と、吸込口３の前側部分を開放する上方回動位置との間を回動自在に形成され、カバー６の壁面等の平面部への当接により下方回動位置から上方回動位置に回動するように構成し、吸込具本体ケース２には、カバー６及びカバー６の回動範囲を避けた位置に、吸気した空気により回転ブラシ４を回転させる通気孔１６を形成し、回転ブラシ４は、カバー６の上方回動位置で、カバー６の前端部より後方に位置させた。【選択図】        図５
2008253852.tif 000002
【特許請求の範囲】
【請求項１】
吸込口が下面から前面の少なくとも一部まで開口された吸込具本体ケースと、該吸込具本体ケース内に回転自在に支持された回転ブラシと、前記吸込具本体ケースの吸込口の前側部分を閉塞するカバーとを備え、
前記カバーは、吸込口の前側部分を閉塞する下方回動位置と、吸込口の前側部分を開放する上方回動位置との間を回動自在に形成され、前記カバーの壁面等の平面部への当接により下方回動位置から上方回動位置に回動するように構成し、
前記吸込具本体ケースには、カバー及びカバーの回動範囲を避けた位置に、吸気した空気により回転ブラシを回転させる通気孔を形成し、
前記回転ブラシは、前記カバーの上方回動位置で、カバーの前端部より後方に位置させたことを特徴とする床用吸込具。
【請求項２】
前記カバーの下部側先端に、カバーと壁面あるいは前記平面部との隙間を閉塞する軟質材料で形成された閉塞部材を装着し、前記カバーが前記平面部に当接して上方回動位置に回動した状態で、前記閉塞部材が前記平面部に密着する構成としたことを特徴とする請求項1記載の床用吸込具。
【請求項３】
前記閉塞部材の少なくとも一部は、外側へ屈曲していることを特徴とする請求項２記載の床用吸込具。
【請求項４】
前記カバーは、吸込具本体ケースの内側に収納される方向に回動するように構成されていることを特徴とする請求項１乃至請求項３の何れか１項に記載の床用吸込具。
【請求項５】
前記カバーは、カバーが下方へ回動する方向へ付勢される付勢手段を備えていることを特徴とする請求項１乃至請求項４の何れか１項に記載の床用吸込具。
【発明の詳細な説明】
【技術分野】
【０００１】
本発明は、電気掃除機の床用吸込具に係わり、特に壁際などに溜まった塵埃を効率良く吸い込むことができる床用吸込具に関する。
【背景技術】
【０００２】
壁際などの掃除が可能な床用吸込具として、本願出願人は特願２００２−３１２３８４号において提案している。この床用吸込具は、吸込口が吸込具本体ケースの下面から前面の少なくとも一部まで開口され、吸込具本体ケースの前壁を構成するカバーが吸込具本体ケースに上下方向に回動自在に取り付けられ、カバーが下方回動位置で吸込口の前面部分を閉塞し、且つ壁面などに当接して回動する上方回動位置で吸込口の前面部分を開放するように構成されている。そして、通常の床面や壁際等を掃除する際には、カバーの回動状態に関係なく回転ブラシを専用の電動機によって回転させることにより通常の床面や壁際等の塵埃を掻き取り吸込口から塵埃を効果的に吸込むことにより効率よく掃除できるようになっている（例えば、特許文献１参照）。
【特許文献１】特願２００２−３１２３８４号
【発明の開示】
【発明が解決しようとする課題】
【０００３】
しかしながら、回転ブラシを回転させる専用の電動機は床用吸込具に内装されており、床用吸込具が重くなっているため、掃除する度に床用吸込具の取り扱いに煩わしさを感じる欠点があった。
【０００４】
本発明は、このような課題を解決するためになされたものであり、壁際などに溜まった塵埃を効率良く吸引することができると共に、軽量化を図り操作性を向上させることができる床用吸込具を提供することを課題とする。
【課題を解決するための手段】
【０００５】
上記課題を解決するための第１の手段は、吸込口が下面から前面の少なくとも一部まで開口された吸込具本体ケースと、該吸込具本体ケース内に回転自在に支持された回転ブラシと、前記吸込具本体ケースの吸込口の前側部分を閉塞するカバーとを備え、前記カバーは、吸込口の前側部分を閉塞する下方回動位置と、吸込口の前側部分を開放する上方回動位置との間を回動自在に形成され、前記カバーの壁面等の平面部への当接により下方回動位置から上方回動位置に回動するように構成し、前記吸込具本体ケースには、カバー及びカバーの回動範囲を避けた位置に、吸気した空気により回転ブラシを回転させる通気孔を形成し、前記回転ブラシは、前記カバーの上方回動位置で、カバーの前端部より後方に位置させたことを特徴とする。
前記カバーの下部側先端に、カバーと壁面あるいは前記平面部との隙間を閉塞する軟質材料で形成された閉塞部材を装着し、前記カバーが前記平面部に当接して上方回動位置に回動した状態で、前記閉塞部材が前記平面部に密着する構成とすることが好ましい。
前記閉塞部材の少なくとも一部は、外側へ屈曲していることが好ましい。
前記カバーは、吸込具本体ケースの内側に収納される方向に回動するように構成されていることが好ましい。
前記カバーは、カバーが下方へ回動する方向へ付勢される付勢手段を備えていることが好ましい。
【発明の効果】
【０００６】
本発明の請求項１の構成によれば、床面や壁際などに溜まった塵埃を効率良く吸引することができると共に、床用吸込具の軽量化を図り操作性を向上させることができる。また、カバーの上方回動位置で回転ブラシが平面部に接触することがなく、平面部に接触することによる回転ブラシの回転トルク低下を防止して、回転ブラシの回転を安定化させることができる等の効果を奏する。
【０００７】
本発明の請求項２の構成によれば、床用吸込具を壁面等の平面部に押し当てた際にも、平面部とカバーとの間から空気が床用吸込具内に流入することを防止することができるため、回転ブラシの回転力の低下を防止することができる等の効果を奏する。
【０００８】
本発明の請求項３の構成によれば、床用吸込具を壁面等の平面部に押し当てた際にも、平面部とカバーとの間から空気が床用吸込具内に流入することを外側に屈曲した閉塞部材により確実に防止することができるため、回転ブラシの回転力の低下を防止することができる等の効果を奏する。
【０００９】
本発明の請求項４の構成によれば、ベットの下等の高さの低いところを掃除する場合でも、カバーが障害物に当接してカバーが開かないといった不具合の発生を防止することができる等の効果を奏する。
【００１０】
本発明の請求項５の構成によれば、カバーの回動部に多少の塵埃が付着しても確実に吸込口の前側部分を閉じることができる等の効果を奏する。
【発明を実施するための最良の形態】
【００１１】
本発明に係る床用吸込具の最良の形態を図１乃至図６に基づいて説明する。本発明に係る床用吸込具１は、上ケース２ａと下ケース２ｂからなって下面から前面にかけて広範囲に開口された吸込口３が形成された横長の吸込具本体ケース２と、吸込具本体ケース２内の長手方向両端に図示しない軸受部を介して回転自在に支持された回転ブラシ４と、吸込具本体ケース２の後面側に上下左右方向に回動自在に取付けられ、吸込口３に連通するベンド５と、吸込具本体ケース２の前壁を構成すると共に、吸込口３の前側部分３ｂを開閉するカバー６とから構成されている（図１、図２参照）。そして、ベンド５が図示しない延長管やホースを介して掃除機本体に接続されるようになっている。
【００１２】
カバー６は、断面形状が略くの字状をしており、その上部側が円弧状に形成されている。カバー６は、両端に形成された図示しないアーム部が水平方向に支持されることにより、上下方向に回動自在に支持されている。カバー６の略くの字状の前側突出部には、両端が軸受部７によって回動自在且つ水平方向に支持されたローラ８が取り付けられている。ローラ８は、ローラ芯体９外周面が、柔らかくて滑りやすい当接部材として、繊維質部材である起毛布１０によって覆われて形成されている。
【００１３】
カバー６の最前部にあるローラ８が壁面Ｗ等に押し当てられた時には、ローラ８が反時計方向に回転しながらカバー６が上方に回動する。このようにして、ローラ８が壁面Ｗ等に当接可能となるように構成することにより、カバー６に設けられたローラ８が吸込具本体ケース２の前側のバンパーとして機能している。
【００１４】
カバー６は、ローラ８が壁面Ｗ等に当接してカバー６が上に回動する時、吸込具本体ケース２内に形成されたカバー収納部１１にカバー６が収納される方向に回動するように構成されている（図５参照）。また、カバー６には、カバー６を下方へ回動する方向へ付勢する図示しない捻りバネ等の付勢手段が装着されている。
【００１５】
カバー６の下部側先端には、カバー６と床面との間の隙間を閉塞する軟質材料（本発明では塩化ビニル樹脂）で形成された閉塞部材１２が装着されている。閉塞部材１２の先端は突条１３に形成されると共に、外方に屈曲している（図１、図２、図６参照）。
【００１６】
吸込具本体ケース２の吸込口３に回転自在に支持された回転ブラシ４は、回転ブラシ芯体１４の外周面にブラシ体１５が等分間隔で長手方向に複数本装着されている（図１、図２参照）。また、回転ブラシ４はカバー６の回動位置には関係なく常にカバー６の前端部よりも後方に位置するようになっている。 
【００１７】
上ケース２ａのカバー６及びカバー６の回動範囲を避けた位置には、吸込具本体ケース２内外を連通させる通気孔１６が形成されている。吸込具本体ケース２内には、通気孔１６から吸込具本体ケース２内に取り入れた空気を回転ブラシ４のブラシ体１５まで案内する通気流路１７が形成されている。通気孔１６から通気流路１７を介して回転ブラシ４に空気が供給されることにより回転ブラシ４は回転し、この回転ブラシ４が回転することで床面の塵埃が掻き取られ、吸込口３から効果的に吸込まれることにより効率よく掃除できるようになっている。また、吸込口３の下側部分３ａよりも後方の下ケース２ｂ下面には床面の塵埃を掃くブラシ１８が配設されている。
【００１８】
このように構成された床用吸込具１は、通常の床面（フローリング床や畳や絨毯等）の掃除の場合には、カバー６は付勢手段により下方回動位置に位置しているので、吸込口３の前側部分３ｂはカバー６により閉じられ、吸込口３の下側部分３ａだけが開口している。また、吸込口３の下側部分３ａよりも後方の下ケース２ｂ下面に配設されたブラシ１８が床面に当接すると共に、カバー６下部側先端と床面との隙間は閉塞部材１２によって閉塞されているため、吸込口３の下側部分３ａから床面の塵埃を吸込むことにより吸込具本体ケース２内は負圧になる。
【００１９】
この結果、通気孔１６から吸込具本体ケース２内に空気が流入し、この空気が通気流路１７を介して回転ブラシ４に吹き付けられることにより回転ブラシ４は回転する。吸込具本体ケース２内は閉塞部材１２によって閉塞されており、通気孔１６以外の所から吸込具本体ケース２内に空気が流入することはない。このため、回転ブラシ４を安定して回転させるために必要な空気量を通気流路１７に流すことができ、回転ブラシ４を安定化させて回転させることにより床面の掃除を効率良く行うことができる（図１参照）。
【００２０】
一方、壁際を掃除する場合には、壁面Ｗに吸込具本体ケース２の前面を押し当てる。それにより、まず、カバー６に取り付けられたローラ８が壁面Ｗに当接して反時計方向に回転しながらカバー６が上方に持ち上げられ、吸込具本体ケース２のカバー収納部１１に収納される方向に回動し、吸込口３の前側部分３が開放される（図５参照）。また、この状態では、吸込口３を壁際に非常に近接させることができ、壁際の塵埃に対して充分な清掃能力を得ることができる。そして、壁面Ｗにはカバー６自身ではなく外周面が起毛布１０で覆われたローラ８が当接するため、壁面Ｗや家具等の傷付きを確実に防止することができる。
【００２１】
この時、壁面Ｗとカバー６との隙間から吸込具本体ケース２内に空気が流入すると回転ブラシ４の回転力が低下する虞があるが、カバー６下部側先端に装着されている閉塞部材１２の先端は外側に屈曲しているため、図６に示すように閉塞部材１２と壁面Ｗとが密着する。この結果、通気孔１６以外の所から吸込具本体ケース２内に空気が流入することがないため、回転ブラシ４の回転を安定化させることができる。また、回転ブラシ４はカバー６前端部より後方に位置しており壁面Ｗに接触する虞はないため、壁面Ｗ接触による回転ブラシ４の回転トルク低下を防止し、さらに、回転ブラシ４の回転を安定化させることができる。
【００２２】
床用吸込具１を前傾させた際に床面が傷付くことを防止するため、吸込具本体ケース２の前面下部と床面との間には隙間を形成する必要がある。これに対して、本発明では、吸込具本体ケース２内に供給される空気により回転ブラシ４を回転させるために吸込具本体ケース２内の気密性を向上させる必要があるため、カバー６下部側先端と床面との隙間は閉塞部材１２により閉塞している。しかしながら、この閉塞部材１２は軟質材料で形成されているため、床用吸込具１を前傾させた際に閉塞部材１２が床面に当接しても床面を傷付ける虞はない。また、閉塞部材１２の先端は外方に屈曲しているため、床用吸込具１の吸引力により内側に撓んで回転ブラシ４に接触することもなく、回転ブラシ４の回転に悪影響を及ぼす虞もない。
【００２３】
カバー６は吸込具本体ケース２の内側に形成されたカバー収納部１１内に収納される方向に回動するため、吸込具本体ケース２の外側に回動する場合に比べて、吸込具本体ケース２の高さを低くでき、ベッドの下等の高さの低いところを掃除する場合でも、カバー６が障害物に当接してカバー６が開かないといった不具合も生ずることはなく、また、外力に対しても強い構造となる。また、通気孔１６は吸込具本体ケース２のカバー６及びカバー６回動範囲を避けた位置に形成されているため、カバー６の回動状態に関係なく安定して回転ブラシ４を回転させることができる。
【００２４】
上述したように壁際の掃除をして通常の床面の掃除に戻る時には、吸込具本体ケース２を壁面Ｗから離すだけで、カバー６は付勢手段の付勢力により下方に回動して吸込口３の前側部分３ｂを閉じるので、特別な操作をすることなく通常の床面の掃除を行うことができる。カバー６は、自重だけでも下方に回動して吸込口３の前側部分３ｂを閉じることはできるが、付勢手段を設けることによりカバー６の回動部分に多少の塵埃が付着しても確実に吸込口３の前側部分３ｂを閉じることができる。
【図面の簡単な説明】
【００２５】
【図１】本発明を実施するための最良の形態の床用吸込具の側断面図である。
【図２】同他の方向から見た床用吸込具の側断面図である。
【図３】同床用吸込具の上面図である。
【図４】同床用吸込具の前面図である。
【図５】同床用吸込具の側断面図で、壁際を掃除する状態を示す。
【図６】図５における閉塞部材の状態を示す拡大図である。
【符号の説明】
【００２６】
１    床用吸込具
２    吸込具本体ケース
２ａ  上ケース
２ｂ  下ケース
３    吸込口
３ａ  下側部分
３ｂ  前側部分
６    カバー
１２  閉塞部材
１３  突条
１６  通気孔
１７  通気流路
【図１】
2008253852.tif 000003
【図２】
2008253852.tif 000004
【図３】
2008253852.tif 000005
【図４】
2008253852.tif 000006
【図５】
2008253852.tif 000007
【図６】
2008253852.tif 000008